(57)【要約】【課題】天井用照明器具を天井の壁際に寄せて取り付ける際に生じる反射板と壁面の干渉を解消して、固定体を壁面に密着して取り付けることができる天井用照明器具を提供する。また反射板と固定体の分解・結合をワンタッチで行える天井用照明器具を提供する。【解決手段】天井２に固定されるケーシング３と、ケーシング３の下面に固定される反射板４と、反射板４の下方に固定される蛍光ランプ６を備える天井灯１において、反射板４の平面形がケーシング３の平面形の輪郭に収まるように構成する。つまり、反射板４の平面形の幅及び長さがケーシング３の平面形の幅及び長さ以下になるようにする。このため、ケーシング３を壁際に密着させることができる。また、反射板４はケーシング３に嵌合されて、反射板４自身の弾性でケーシング３に係止されるので、反射板４はケーシング３にワンタッチで着脱できる。【選択図】図１
2011060469.tif 000002
【特許請求の範囲】
【請求項１】
光源に電力を供給する電気部品を収容して天井に固定される固定体と、前記固定体の底面に固定される反射板を備える天井用照明器具において、
前記反射板の平面形は前記固定体の平面形の輪郭内に収まるように構成されている
ことを特徴とする天井用照明器具。
【請求項２】
光源に電力を供給する電気部品を収容して天井に固定される固定体と、前記固定体の底面に固定される反射板を備える天井用照明器具において、
前記反射板の平面形の幅寸法は、前記固定体の平面形の幅寸法以下である
ことを特徴とする天井用照明器具。
【請求項３】
前記反射板の平面形の長さは、前記固定体の平面形の長さ以下である
ことを特徴とする請求項２に記載の天井用照明器具。
【請求項４】
前記反射板は前記固定体に嵌合されて、前記反射板自身の弾性で前記固定体に係止されることを特徴とする請求項１又は請求項２に記載の天井用照明器具。
【請求項５】
前記反射板は前記固定体に嵌合されたときに、前記固定体に当接する第１の突出部を有し、
前記固定体は前記反射板が嵌合されたときに、前記反射板に当接する第２の突出部を有し、
前記反射板を前記固定体に嵌合係止されるときに、前記第１の突出部は前記第２の突出部の上方に位置する
ことを特徴とする請求項４に記載の天井用照明器具。
【発明の詳細な説明】
【技術分野】
【０００１】
本発明は、天井用照明器具に関する。
【背景技術】
【０００２】
光源に電力を供給する電気部品を収容して天井に固定される固定体と、固定体の底面に固定される反射板を備える天井用照明器具が知られている。例えば、特許文献１には、固定体の中に点灯回路や安定器を収容し、固定体の下面に反射板を取付け、更に反射板の下方に直管型蛍光ランプを取り付けた天井用照明器具が開示されている。
【０００３】
特許文献１に記載された天井用照明器具は、ビス等を使って固定体を天井に固定するだけで取付られるので、天井を切り開け加工する必要がある天井埋込型照明器具（例えば特許文献２）に比べて設置工事が簡単である。
【先行技術文献】
【特許文献】
【０００４】
【特許文献１】特開２００７−２４２４０２号公報
【特許文献２】特開２００５−１０８４４７号公報
【発明の概要】
【発明が解決しようとする課題】
【０００５】
しかしながら、特許文献１に開示されたような従来の天井用照明器具は、反射板の平面形が固定体の平面形よりも大きいので、天井用照明器具を天井の壁際に寄せて取り付けようとすると、反射板が壁面と干渉するという問題があった。また、反射板が壁面に当接するように取り付けると、反射板の上方に、反射板、固定体、天井及び壁面に囲まれた隙間が生じる。このような隙間には埃等が溜まりやすいが、狭隘で手を入れにくいので、清掃が困難であった。
【０００６】
更に、特許文献１に開示されたような従来の天井用照明器具は、反射板を固定体にネジ止めしているので、点灯回路等の修理のための分解組立に手間が掛かるという問題もあった。
【０００７】
本発明は、このような背景に鑑みてなされたものであり、天井用照明器具を天井の壁際に寄せて取り付ける際に生じる反射板と壁面の干渉を解消して、固定体と壁面に密着して取り付けることができる天井用照明器具を提供することを目的とする。
【０００８】
また、反射板と固定体の分解・結合をワンタッチで行える天井用照明器具を提供することを目的とする。
【課題を解決するための手段】
【０００９】
上記課題を解決するため、本発明に係る天井用照明器具は、光源に電力を供給する電気部品を収容して天井に固定される固定体と、前記固定体の底面に固定される反射板を備える天井用照明器具において、前記反射板の平面形は前記固定体の平面形の輪郭内に収まるように構成される。
【００１０】
あるいは、本発明に係る天井用照明器具は、光源に電力を供給する電気部品を収容して天井に固定される固定体と、前記固定体の底面に固定される反射板を備える天井用照明器具において、前記反射板の平面形の幅寸法は、前記固定体の平面形の幅寸法以下になるように構成される。
【発明の効果】
【００１１】
本発明によれば、反射板の平面形が固定体の平面形の輪郭に収まるように構成され、あるいは反射板の平面形の幅が固定体の平面形の幅以下にされるので、天井用照明器具を天井の偶部に寄せて取り付ける場合に、反射板が壁面と干渉しない。そのため、固定体を壁面に密着させることができる。
【図面の簡単な説明】
【００１２】
【図１】本発明の実施形態の一例を示す天井灯の外形図であり、（ａ）は正面図であり、（ｂ）は下方から見た平面図である。
【図２】天井灯を図１のＡ−Ａ’線で切断した断面図である。
【図３】反射板を固定体に固定する原理を示す図である。
【図４】天井灯を、壁面に寄せて取り付けた状態を示す図である。
【発明を実施するための形態】
【００１３】
以下、本発明の具体的な実施形態を、図面を参照しながら説明する。
【００１４】
図１に示した天井灯１は、天井２に、図示しないビスに固定されて、下方（床面方向）を照明する天井用照明器具であり、本発明の具体的な実施形態の一例を示している。また、天井灯１は、ケーシング３と反射板４を備え、反射板４はケーシング３の底面に嵌合・係止されている。また反射板４にはソケット５が１対に取付けられ、ソケット５は蛍光ランプ６を挟持している。
【００１５】
ケーシング３は、天井２に当接されて、図示しないビスで天井２に固定される方形の筐体であり、本発明の固定体に相当する。ケーシング３は、一般に鋼やアルミニウムの板金を曲げ加工して形成されるが、プレスで打ち抜いてもよいし、ダイキャストで成型してもよい。あるいは、プラスチックの成型品であってもよい。つまり、所望の剛性や強度等が得られるように、各種の素材や加工方法を選ぶことができる。なお、ケーシング３の内部には、蛍光ランプ６に電力を供給するための電気部品７、例えば、点灯回路や安定器等が収容される。
【００１６】
反射板４は、天井２方向に向かう蛍光ランプ６の発光を下方（床面方向）に向ける反射材であるが、ケーシング３を閉蓋してケーシング３内部の空間を外部の環境と区画して、電気部品７を保護する蓋体としての機能、及びソケット５を固定する基台としても機能する。なお本実施形態では、陽極酸化処理したアルミニウム板をプレス加工したものを反射板４として用いている。
【００１７】
また、反射板４の平面形（つまり図１（ｂ）に現れる形状）の輪郭は、ケーシング３の平面形の輪郭内に収まるような形状が選ばれる。つまり、反射板４の平面形の長さはケーシング３の平面形の長さＬ（図１（ａ）参照）以下、反射板４の平面形の幅はケーシング３の平面形の幅Ｂ以下になるように構成される。本実施形態では、反射板４の平面形の長さ及び幅は、ケーシング３の平面形の長さＬ及び幅Ｂと等しくしている。
【００１８】
さて、ケーシング３と反射板４の横断面（図１のＡ−Ａ’線で切断した断面）は、図２に示すような形状を有する。すなわち、ケーシング３の横断面形は下方が開口する「コ」字形をなしている。また、ケーシング３の横断面形の下方は段差が形成されて開口幅が狭くなり、下方端には外側に突出する突出部３ａが形成されている。また、反射板４の横断面形は、ケーシング３とは反対に上方が開口する「コ」字形をなし、ケーシング３と嵌合する。また、反射板４の横断面の上端には内側に突出する突出部４ａが形成されている。
【００１９】
また、ケーシング３の突出部３ａは反射板４に当接して反射板４を押圧する。また反射板４の突出部４ａはケーシング３に当接して、反射板４自身の弾性によってケーシング３を押圧する。このように、ケーシング３と反射板４は互いに相手を押圧しているので、反射板４はケーシング３に保持される。反射板４は反射板４自身の弾性によって生じる押圧力でのケーシング３へ固定されるので、ビス、ボルト、ナットあるいはクリップ等のような締結要素を必要としない。
【００２０】
反射板４のケーシング３への取り付けは、次のようにして行う。すなわち、図３（ａ）に示すように、反射板４をケーシング３の下方に当てて押し上げると、図３（ｂ）に示すように、反射板４の突出部４ａがケーシング３の突出部３ａに当接し、突出部３ａから受ける反力によって、反射板４の横断面形は横に拡がり、更に反射板４を上方に押し上げると、突出部４ａは突出部３ａを乗り越え、最終的には図２に示すような形態に至る。また、反射板４をケーシング３から、取り外す場合は、図２に示す状態において、反射板４を下方に引き下ろせばよい。
【００２１】
このように、反射板４のケーシング３への結合・分解は、工具を用いることなしに、ワンタッチで行うことができる。
【００２２】
さて、前述したように、天井灯１は反射板４の平面形の輪郭は、ケーシング３の平面形の輪郭に等しくなるように、言い替えれば、反射板４の平面形の長さはケーシング３の平面形の長さ、反射板４の平面形の幅はケーシング３の平面形の幅に、それぞれ等しくなるように構成されている。そのため、図４に示すように、天井灯１を天井２の端の、壁８との境目近くに取付ける時に、反射板４と壁８の干渉を考慮する必要がない。つまり、ケーシング３が壁８にぴったり当接するまで天井灯１を壁８に寄せることができる。そのため、ケーシング３と壁８の間に隙間が生じない。したがって、従来のように隙間に埃等が溜まることがない。
【００２３】
なお、本明細書では直管状の蛍光ランプ６を光源とする天井灯１の例を示したが、本発明の天井用照明器具の光源は、各種の種類形式を選択することができる。環状、あるいは電球型の蛍光ランプ、白熱灯、ＬＥＤ、有機ＥＬ素子など、公知のあるいは将来出現する各種の光源を使用することができる。
【００２４】
また、本発明の天井用照明器具の固定体は、ケーシング３のような方形の筐体、つまり、その平面形が矩形になるような筐体には限られない。固定体の形状は、各種、任意の形状を選ぶことができる。また、本発明の天井用照明器具の反射板は、反射板４のような矩形の平面形を備えるものには限られない。要は、反射板の平面形が固定体の平面形の輪郭の内側に収まれば、本発明の目的を達成できるのであるから、反射板および固定体の平面形は、矩形には限定されない。円形、楕円形、正多角形、不等辺多角形、あるいは、多角形の隅部を丸めた形状など、各種、任意の形状を選ぶことができる。
【００２５】
また、本明細書では反射板４が反射板４自身の弾性でケーシング３に確実に係止されるように、ケーシング３及び反射板４に突出部３ａ及び突出部４ａを形成した例を示したが、反射板４が反射板４自身の弾性でケーシング３に確実に係止されるならば、突出部３ａ及び突出部４ａを省略してもよい。また、図２，３等に示した突出部３ａ及び突出部４ａの形状は例示であって、かかる形状に限定されないことは言うまでもない。
【００２６】
また、本明細書では、ケーシング３の断面形の幅を下方で狭くして、その幅が狭くなった部分に反射板４を被せる例（図２参照）を示したが、本発明の天井用照明器具はかかる形態に限定されない。例えば、反射板４の断面形の幅を上方で狭くして、その幅が狭くなった部分をケーシング３に差し込むようにしてもよい。要は、反射板４が反射板４自身の弾性でケーシング３に確実に係止されるならば、各種の形態を任意に選択することができる。
【００２７】
また、本明細書で開示された実施形態は、本発明の具体的な実施形態の一例にすぎない。つまり本発明の技術的範囲は本明細書で開示された実施形態と同一の範囲に限定されるものではない。本発明は特許請求の範囲に記載された技術的思想の範囲内で、自在に応用、変形あるいは改良して実施することができる。
【符号の説明】
【００２８】
１  天井灯
２  天井
３  ケーシング
４  反射板
５  ソケット
６  蛍光ランプ
７  電気部品
８  壁
【図１】
2011060469.tif 000003
【図２】
2011060469.tif 000004
【図３】
2011060469.tif 000005
【図４】
2011060469.tif 000006